(57)【要約】【課題】物品の管理性を向上させる。【解決手段】カバー１は、物品２０に取り付けられるとともに物品２０に固有の情報が記憶されたＩＣタグ３０とリーダライタ４０との間での無線通信による物品の管理に用いられる。このカバー１は、管理用具１０に積載された物品２０の周囲のうち一部を除く他部を覆って無線通信の搬送波をシールドする遮蔽性の遮蔽部２を備える。【選択図】図２
2020067898.tif 000002
【特許請求の範囲】
【請求項１】
物品に取り付けられるとともに前記物品に固有の情報が記憶されたＩＣタグとリーダライタとの間での無線通信による前記物品の管理に用いられるカバーであって、
管理用具に積載された前記物品の周囲のうち一部を除く他部を覆って前記無線通信の搬送波をシールドする遮蔽性の遮蔽部を備えた
ことを特徴とするカバー。
【請求項２】
前記遮蔽部は、前記遮蔽性のほかに前記搬送波の反射性も有する
ことを特徴とする請求項１に記載のカバー。
【請求項３】
前記遮蔽部は、前記管理用具において前記周囲に設けられた構造に取り付けられ、巻き取り可能なフレキシブル構造をなす
ことを特徴とする請求項１または２に記載のカバー。
【請求項４】
前記遮蔽部は、前記管理用具に固設されたリジッド構造をなす
ことを特徴とする請求項１または２に記載のカバー。
【請求項５】
前記遮蔽部は、前記遮蔽性をもつ機能層と前記機能層を支持する基材層とを有する
ことを特徴とする請求項１〜４の何れか１項に記載のカバー。
【請求項６】
前記基材層に紙材が用いられた
ことを特徴とする請求項５に記載のカバー。
【請求項７】
前記機能層が金属蒸着膜または金属箔である
ことを特徴とする請求項５または６に記載のカバー。
【請求項８】
前記一部の開放された開状態と前記一部の閉鎖された閉状態とが切替自在な開閉部を備えた
ことを特徴とする請求項１〜７の何れか１項に記載のカバー。
【発明の詳細な説明】
【技術分野】
【０００１】
本発明は、搬送波をシールドするカバーに関する。
【背景技術】
【０００２】
物流管理に用いられる無線通信技術の一つとして、ＲＦＩＤ（radio frequency identification）が知られている。ＲＦＩＤとは、ＩＣタグに記憶された固有の情報が非接触で送受信されるシステムの総称である。物流管理では、流通する物品に固有の情報がＩＣタグに記憶され、この情報が搬送波を介してリーダライタによって読み取られる。たとえば、保管場所や輸送中といった物品のステータスに応じてＩＣタグの情報が書き換えられる。
複数の物品にそれぞれのＩＣタグが取り付けられている場合には、各ＩＣタグの情報が更新されうる。そこで、複数のＩＣタグを一括して読み取る手法が開発されている（特許文献１，２参照）。
【先行技術文献】
【特許文献】
【０００３】
【特許文献１】特開２０１０−９３６９０号公報
【特許文献２】特開２０１５−１７９４６６号公報
【発明の概要】
【発明が解決しようとする課題】
【０００４】
しかしながら、リーダライタと情報が送受信される範囲内に通信すべきではないＩＣタグが混在していると、そのＩＣタグの情報が誤って読み取られてしまう。具体的には、以下に示す二種のＩＣタグがリーダライタと情報が送受信される範囲内に混在していると、二種のＩＣタグ双方の情報が読み取られてしまう。
・第一ＩＣタグ：情報を更新すべきＩＣタグ
・第二ＩＣタグ：情報を更新すべきではないＩＣタグ
【０００５】
第一ＩＣタグだけでなく第二ＩＣタグの情報も読み取られることで、第一ＩＣタグだけでなく第二ＩＣタグの情報も更新されるおそれがある。第一ＩＣタグが倉庫から売場へ移動される物品に紐づけられ、この第一ＩＣタグに対して後方や側方の第二ＩＣタグが倉庫に残したままの物品に紐づけられている際には、実際は保管されたままの物品が売場に移動されたものとして管理されるおそれがある。
このように、搬送波の誤通信が生じると、物品の管理性が低下する。
【０００６】
ここで開示するカバーは、上記のような課題に鑑みて創案されたものであり、物品の管理性を向上させることを目的の一つとする。なお、この目的に限らず、後述する「発明を実施するための形態」に示す各構成から導き出される作用および効果であって、従来の技術では得られない作用および効果を奏することも、本件の他の目的として位置付けることができる。
【課題を解決するための手段】
【０００７】
ここで開示するカバーは、物品に取り付けられるとともに前記物品に固有の情報が記憶されたＩＣタグとリーダライタとの間での無線通信による前記物品の管理に用いられる。本カバーは、管理用具に積載された前記物品の周囲のうち一部を除く他部を覆って前記無線通信の搬送波をシールドする遮蔽性の遮蔽部を備える。
【発明の効果】
【０００８】
開示のカバーによれば、物品の管理性を向上させることができる。
【図面の簡単な説明】
【０００９】
【図１】ＩＣタグ付きの箱（物品）が積載されたカゴ車を示す斜視図である。
【図２】図１のカゴ車にカバーが装着された状態を示す斜視図である。
【図３】遮蔽部の積層構造を示す模式図である。
【図４】第一の変形例を示す斜視図である。
【図５】第二の変形例を示す斜視図である。
【図６】第三の変形例を示す斜視図である。
【発明を実施するための形態】
【００１０】
以下、実施形態としてのカバーを説明する。
本実施形態のカバーは、ＲＦＩＤによる物品管理に用いられる無線通信の搬送波を部分的にシールドする部材である。すなわち、管理対象の物品に取り付けられたＩＣタグとリーダライタとの間での無線通信に用いられる電波（搬送波）の搬送範囲がカバーで限定される。
【００１１】
さらに、ＩＣタグの取り付けられた物品は管理用具に積載され、積載された物品の周囲にカバーが配備される。ここでは、物品の管理用具としてカゴ車（「ストックカート」とも称される）を例示し、物品として箱（包装体）を例に挙げる。
本実施形態では、水平方向を前方（図面では「Ｆ」で表記），後方（図面では「Ｂ」で表記），左方（図面では「Ｌ」で表記）および右方（図面では「Ｒ」で表記）の四方向に細別する。また、鉛直方向を下方（図面では「Ｄ」で表記）および上方（図面では「Ｕ」で表記）の二方向に細別する。
【００１２】
［Ｉ．一実施形態］
以下に述べる一実施形態では、項目［１］で構成を説明し、その後の項目［２］で項目［１］の構成による作用および効果を述べる。
［１．構成］
本項目［１］では、小項目［１−１］でカバーの取付先やカバーによって囲われる箱などの前提構成を説明する。それから、小項目［１−２］でカバー自体の構成を詳述する。
【００１３】
［１−１．カゴ車および物品］
カバーはカゴ車に取り付けられる。カゴ車には、ＩＣタグの取り付けられた物品が積載される。
〈カゴ車〉
図１に示すように、カゴ車１０は、カゴ状の構造１１が台車１２の上方に立設された用具である。
【００１４】
台車１２には、箱２０が積載される台座部１３（いわゆる「ベース」）と、台座部１３の下方に設けられた脚輪１４（いわゆる「キャスター」）とが設けられている。図１には、矩形板状の台座部１３に対して四隅に脚輪１４が懸架されたカゴ車１０を例示する。
このように構成される台車１２の上方には、つぎに説明するカゴ状の構造１１が設けられる。
【００１５】
カゴ状の構造１１は、台車１２に積載される箱２０の周囲のうち一領域（一部）を除く他領域（他部）を囲む格子状構造である。この他領域には、格子状構造のすきまが設けられている。
ここでは、カゴ状の構造１１で囲まれる他領域として左方，右方および後方の領域を例示し、カゴ状の構造１１で囲まれていない一領域として前方の領域を例示する。
【００１６】
具体的なカゴ状の構造１１は、箱２０に対して左方の左構造１１Ｌと、箱２０に対して右方の右構造１１Ｒと、箱２０に対して後方の後構造１１Ｂとに細別される。左構造１１Ｌおよび右構造１１Ｒは、上下方向かつ前後方向に沿って平面状に延在する。後構造１１Ｂは、上下方向かつ左右方向に沿って平面状に延在する。すなわち、カゴ状の構造１１は、水平方向の断面が開放側を前方に向けた「コ」の字型をなしている。
一方、箱２０に対して前方の領域には、カゴ状の構造１１が設けられずに開放されている。このように開放された領域からは、つぎに説明する箱２０が出し入れされる。
【００１７】
〈箱〉
箱２０は、上記したように左右および後方の三方がカゴ状の構造１１によって囲まれた状態で台車１２に積載される。ここでは、複数の箱２０を例示する。
複数の箱２０には、それぞれにＩＣタグ３０が取り付けられている。
ＩＣタグ３０とは、集積回路（Integrated Circuit）を有するタグ状の識別用デバイスである。
【００１８】
ＩＣタグ３０には、箱２０あるいはその収容物（図示省略）に固有の情報が記憶されたメモリのほか、その固有情報を非接触で読み書きするためのアンテナが内蔵されている。このアンテナを介して、無線通信の電波が送受信される。詳細には、リーダライタ４０からの電波がアンテナを介してＩＣタグ３０で受信され、これに応じてメモリの固有情報がアンテナからリーダライタ４０へ送信される。
このようなＩＣタグ３０の無線通信で用いられる電波の一部は、つぎに説明するカバー１によってシールドされる。
【００１９】
［１−２．カバー］
図２に示すように、カバー１には、上記のように電波をシールドする性質（以下「遮蔽性」と称する）の遮蔽部２がカゴ状の構造１１と同様に一領域（一部）を除く他領域（他部）を覆う。この遮蔽部２は、遮蔽性のほかに、電波を反射する性質（以下「反射性」と称する）も有する。
【００２０】
遮蔽部２は、図３に示すように、機能層Ｌ1および基材層Ｌ2の積層された構造をなしている。機能層Ｌ1と基材層Ｌ2とは公知の手法で一体的に積層される。たとえば、機能層Ｌ1および基材層Ｌ2が互いに接着される。
外側（箱２０に対面する側とは反対側）からの摺れや擦れなどの外力による機能層Ｌ1の破損を抑える観点からは、基材層Ｌ2に対して機能層Ｌ1が内側に配置されることが好ましい。反対に、内側からの外力による機能層Ｌ1の破損を抑える観点からは、基材層Ｌ2に対して機能層Ｌ1が外側に配置されることが好ましい。
なお、遮蔽部２は、上記の機能層Ｌ1および基材層Ｌ2からなる二層構造に限らず、機能層Ｌ1を基材層Ｌ2および他の基材層で挟装した三層構造であってもよいし、機能層Ｌ1のみの単層構造であってもよい。
【００２１】
機能層Ｌ1には、遮蔽性および反射性を有する材料が用いられる。かかる材料としては、アルミニウムあるいは銅などの金属材が例に挙げられる。なかでも、重量を軽減させる観点や取扱性を確保する観点からは、金属蒸着膜や金属箔といった金属薄膜を機能層Ｌ1の材料に用いることが好ましい。
基材層Ｌ2には、機能層Ｌ1を支持する材料が用いられる。かかる材料としては、さまざまな材料が適用可能である。なかでも、加工性の確保やコストの低減といった観点からは、紙材を基材層Ｌ2の材料に用いることが好ましい。
【００２２】
上記の遮蔽部２は、巻き取り可能なフレキシブル構造をなす。言い換えれば、機能層Ｌ1および基材層Ｌ2には、巻き取り可能な材料（たとえばアルミニウム薄膜の機能層Ｌ1や紙材の基材層Ｌ2）が用いられる。
ただし、カゴ車１０に固設されたリジッド構造をなす遮蔽部２を用いてもよい。すなわち、遮蔽部２は、巻き取り不能な剛体であってもよい。
【００２３】
上記の性質および積層構造を有する遮蔽部２は、図２に示すように、カゴ状の構造１１に取り付けられる。ここでは、カゴ状の構造１１のうち上端部に吊り下げられた遮蔽部２を例示する。
遮蔽部２は、カゴ状の構造１１において左構造１１Ｌ，右構造１１Ｒおよび後構造１１Ｂのそれぞれに取り付けられ、取り付け箇所ごとに左遮蔽部２Ｌ（第一遮蔽部），右遮蔽部２Ｒ（第二遮蔽部）および後遮蔽部２Ｂ（第三遮蔽部）に細別される。
【００２４】
これらの左遮蔽部２Ｌ，右遮蔽部２Ｒおよび後遮蔽部２Ｂは、カゴ状の構造１１が延在する方向に沿って全面的に設けられる。
具体的に言えば、左遮蔽部２Ｌ，右遮蔽部２Ｒおよび後遮蔽部２Ｂは、何れも上下方向に沿って延設される。さらに、箱２０の左方で前後方向に沿って左遮蔽部２Ｌが延設され、箱２０の右方で前後方向に沿って右遮蔽部２Ｒが延設される。また、箱２０の後方で左右方向に沿って後遮蔽部２Ｂが延設される。一方、箱２０の前方は、遮蔽部２で覆われておらずに開放される。
【００２５】
［２．作用および効果］
本実施形態のカバー１は、上述のように構成されるため、以下のような作用および効果を得ることができる。
（１）箱２０の前方はカバー１の遮蔽部２で覆われていないことから、箱２０の前方からリーダライタ４０によってＩＣタグ３０の情報を読み取ることができる。すなわち、リーダライタ４０とＩＣタグ３０との通信経路を確保することができる。
リーダライタ４０と送受信される電波は、箱２０に対して左方，右方および後方を覆う遮蔽部２によってシールドされる。そのため、遮蔽部２に対してリーダライタ４０とは反対側に他のＩＣタグが存在する場合には、他のＩＣタグの情報が読み取られることを回避することができる。したがって、読み取るべきＩＣタグ３０のみと通信するとともに、読み取るべきではない他のＩＣタグとの通信を遮断することができる。
このようにして電波の誤通信（いわば「コンタミ」）が抑えられることにより、ＲＦＩＤによる箱２０の管理性を向上させることができる。
【００２６】
（２）遮蔽部２は、遮蔽性のほかに反射性も有することから、リーダライタ４０から送信された電波を箱２０の積載領域で反射させる。そのため、ＩＣタグ３０の読取性を高めることができる。具体的に言えば、リーダライタ４０からの電波が届きにくいＩＣタグ３０に電波が届きやすくなり、このＩＣタグ３０からリーダライタ４０への電波も届きやすくなる。よって、箱２０の管理性向上に寄与する。
【００２７】
（３）遮蔽部２は、巻き取り可能なフレキシブル構造をなすことから、電波のシールドが不要なときには巻き取って仕舞うことができる。
あるいは、カゴ車１０以外に読み取るべき他のＩＣタグが取り付けられた箱が存在する場合には、遮蔽部２を巻き取ることにより、読み取るべき他のＩＣタグの情報も読み取ることができる。この点からも、箱２０の管理性を向上させることができる。
【００２８】
（４）さらに、遮蔽性および反射性を有する機能層Ｌ1が基材層Ｌ2によって支持された積層構造から、遮蔽部２の耐久性を向上させることができる。言い換えれば、機能層Ｌ1の遮蔽性および反射性を安定して発揮させることができる。この点からも、箱２０の管理性向上に資する。
【００２９】
［ＩＩ．その他］
上述した実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
【００３０】
たとえば、図４に示すように、遮蔽部２′で覆われない領域を開閉する部材（以下「開閉部」と称する）３′がカバー１′に設けられていてもよい。
開閉部３′は、箱２０′の出し入れされる領域（以下「出入口９′」〈開口〉と称する）が開放された状態（以下「開状態」と称する）と出入口９′が閉鎖された状態（以下「閉状態」と称する）とが切替自在な部位である。なお、図３には、開状態の開閉部３′を示す。
【００３１】
この開閉部３′には、遮蔽部２′と同様に、巻き取り可能なフレキシブル構造を採用可能である。フレキシブル構造の開閉部３′は、巻き取られたり捲られたりすることで箱２０′の出入口９′が開放され、巻き取りや捲りが解除されると箱２０′の出入口９′が閉鎖される。
なお、開閉部３′は、遮蔽部２′と同様の材質を用いて遮蔽性や反射性をもたせてもよいし、遮蔽部２′とは異なる材質を用いてもよい。
【００３２】
このような開閉部３′がカバー１′に付設された場合には、箱２０′のＩＣタグ３０′と通信しないときに開閉部３′を閉状態に切り替えることで、箱２０′への塵芥の付着や箱２０′の耐久性低下を抑えることができる。
さらに、遮断性や反射性の開閉部３′が閉状態に切り替えられた場合には、カゴ車１０′に積載された箱２０′のＩＣタグ３０′の全てとリーダライタ４０′との通信が遮断される。そのため、カゴ車１０′のＩＣタグ３０′を読み取るべきではないときに、リーダライタ４０′による情報の読取対象の選択自由度を高めることができる。この点からも、箱２０′の管理性を向上させることができる。
【００３３】
図５に示すようにカバー１Ａに観音開きの開閉部３Ａが設けられてもよいし、図６に示すようにカバー１Ｂに片開きの開閉部３Ｂが設けられてもよい。
具体的には、図５に示すように、遮蔽部２Ａのうち左右の前端縁２ＡＦを枢軸として回動する開閉部３Ａが設けられてもよい。このような観音開きの開閉部３Ａが設けられることにより、箱２０′の出入口９′を部分的に開閉することができる。この点からも、ＩＣタグ３０′付きの箱２０′の管理性向上に資する。
また、図６に示すように、遮蔽部２Ｂのうち左右の何れか一方の前端縁２ＢＦを枢軸として回動する開閉部３Ｂが設けられてもよい。このような片開きの開閉部３Ｂが設けられることにより、ＩＣタグ３０′付きの箱２０′の出入口９′を容易に全開または全閉することができる。この点からも、ＩＣタグ３０′付きの箱２０′の管理性向上に資する。
【００３４】
そのほか、基材層には、機能層とは異なる性質（たとえば緩衝性や保冷性）を有する材料が用いられてもよい。かかる材料としては、スポンジ，段ボール，発泡スチロールといったさまざまな公知の資材が挙げられる。機能層は、金属材の薄膜に限らず、金属粒子の懸濁した塗工液を基材層に塗布して形成してもよい。
あるいは、遮蔽部は、箱に対して前方の一部を覆ってもよい。このような遮蔽部の設けられたカバーに付設された開閉部は、箱に対して前方のうち遮蔽部で覆われる一部を除く他部を開状態と閉状態とに切り替え自在に構成される。
【００３５】
なお、カバーは、折り畳み可能な態様に限らず、組み立て可能な態様，自立性を有する態様，スタッキング（重ね置き）可能な態様といったさまざまな態様であってもよい。たとえば、上下方向の断面が台形状をなすリジッド構造のカバーによれば、同構造を有する他のカバーをスタッキングすることができる。
【符号の説明】
【００３６】
１，１′，１Ａ，１Ｂ    カバー
２，２′    遮蔽部
２ＡＦ，２ＢＦ    前端縁
２Ｌ    左遮蔽部（第一遮蔽部）
２Ｒ    右遮蔽部（第二遮蔽部）
２Ｂ    後遮蔽部（第三遮蔽部）
３′，３Ａ，３Ｂ    開閉部
９′    出入口（開口）
１０，１０′    カゴ車（管理用具）
１１    カゴ状の構造（構造）
１１Ｌ    左構造
１１Ｒ    右構造
１１Ｂ    後構造
１２    台車
１３    台座部
１４    脚輪
２０，２０′    箱（物品）
３０，３０′    ＩＣタグ
４０，４０′    リーダライタ
Ｌ1    機能層
Ｌ2    基材層
【図１】
2020067898.tif 000003
【図２】
2020067898.tif 000004
【図３】
2020067898.tif 000005
【図４】
2020067898.tif 000006
【図５】
2020067898.tif 000007
【図６】
2020067898.tif 000008